(57)【要約】【課題】  圧力容器内の耐圧性を保持しつつ可能な限り圧力容器を小型にできるようにし、これを用いた浄化装置の小型化を図ることができるようにする。【解決手段】  原水を浄化し浄水と排水とに分離して送り出す機能を有した浄化モジュール１００と、浄化モジュール１００を収納する圧力容器１１０とを備え、圧力容器１１０を、原水を受入れる受水口１１１が設けられ浄化モジュール１００の一端部を収納する一端収納体１１２と、浄水を吐出する吐出口１１３，排水を排出する排出口１１４が設けられ浄化モジュール１００の他端を収納する他端収納体１１５と、一端収納体１１２及び他端収納体１１５に挾持され浄化モジュール１００の一般部を覆う筒体１１６と、筒体１１６の側方であって一端収納体１１２及び他端収納体１１５間に架設されてこれらを連結保持し筒体１１６に挾持力を付与する複数の連結杆１４０とを備えて構成した。【選択図】図１１
2015020153.tif 000002
【特許請求の範囲】
【請求項１】
送り込まれる原水を浄化し浄水と排水とに分離して送り出す機能を有した浄化モジュールと、該浄化モジュールをその機能を奏するように収納するとともに原水を受入れる受水口，浄水を吐出する吐出口，排水を排出する排出口を有した圧力容器とを備えた水処理ユニットにおいて、
上記圧力容器を、上記受水口が設けられ上記浄化モジュールの一端部を収納する一端収納体と、上記吐出口及び排出口が設けられ上記浄化モジュールの他端を収納する他端収納体と、上記一端収納体及び他端収納体に挾持され上記浄化モジュールの一般部を覆う筒体と、該筒体の側方であって上記一端収納体及び他端収納体間に架設されて該一端収納体及び他端収納体を連結保持し上記筒体に挾持力を付与する複数の連結杆とを備えて構成したことを特徴とする水処理ユニット。
【請求項２】
上記一端収納体の受水口を該一端収納体の外端面以外の外壁面に形成し、上記他端収納体の吐出口及び排出口を該他端収納体の外端面以外の外壁面に形成したことを特徴とする請求項１記載の水処理ユニット。
【請求項３】
上記浄化モジュールは、一端側に閉塞部を有し他端に開放口を有するとともに閉塞部よりも他端側の壁部に小孔が複数形成された集水管と、該集水管の一端部及び他端部を露出させて該集水管にスパイラル状に巻回されたロール状の逆浸透膜と、該逆浸透膜の一端側の外周に設けられたリング状のシール部材とを備えて構成され、該逆浸透膜のシール部材よりも一端側が原水が浸入する浸入部として構成され、該逆浸透膜のシール部材より他端側が排水が浸出する浸出部として構成され、
上記筒体を上記浄化モジュールの逆浸透膜の外面との間に間隙を有して該逆浸透膜を覆うように形成し、上記一端収納体を、上記集水管の一端部が挿通保持される保持孔と、上記シール部材が当接する壁面を有するとともに上記受水口に連通し上記逆浸透膜の浸入部が臨む原水空間とを備えて構成し、上記他端収納体を、上記集水管の他端部がシールされて挿通保持されるとともに上記吐出口に連通し該集水管の開放口からの浄水が満たされる浄水空間と、上記逆浸透膜と筒体との間隙に連通し且つ上記排水口に連通し上記逆浸透膜の浸出部からの排水を受ける排水空間とを備えて構成したことを特徴とする請求項１または２記載の水処理ユニット。
【請求項４】
上記圧力容器の一端収納体を、上記筒体の端部側に設けられ上記浄化モジュールが軸方向に挿入可能で挿入後の浄化モジュールのシール部材が当接する壁面を有し上記原水空間の一部を構成する貫通孔を備えた収納体本体と、上記集水管の一端部が挿通保持される保持孔を有するとともに該収納体本体の貫通孔の開口に着脱可能に設けられ装着時に収納体本体と共同して上記原水空間を構成する凹部を有した蓋体とを備えて構成したことを特徴とする請求項３記載の水処理ユニット。
【請求項５】
上記筒体を透光性樹脂部材で形成したことを特徴とする請求項３または４記載の水処理ユニット。
【請求項６】
上記一端収納体及び他端収納体に、夫々、上記筒体の端部が挿通されるとともに該筒体の端面が当接する当接座面を有した座孔を形成し、該座孔の内側面に上記筒体に弾接するシール部材を設けたことを特徴とする請求項１乃至５何れかに記載の水処理ユニット。
【請求項７】
上記連結杆を、少なくとも先端に雄ネジ部が形成された杆本体と、該杆本体の基端に設けられる頭部体と、上記先端の雄ネジに螺合するナットとを備えて構成し、上記一端収納体及び他端収納体に該一端収納体及び他端収納体が互いに対面する端面から上記筒体の軸方向に沿って上記杆本体が挿通可能な挿通孔を形成し、上記一端収納体及び他端収納体のいずれか一方の挿通孔の開口縁に頭部体が係止する頭部座部を形成し、上記一端収納体及び他端収納体のいずれか他方の挿通孔の開口縁にナットが係止するナット座部を形成したことを特徴とする請求項１乃至６何れかに記載の水処理ユニット。
【請求項８】
上記頭部体を上記杆本体の基端に着脱可能にし、上記一端収納体若しくは他端収納体の途中に、上記杆本体の基端が臨み上記頭部体を挿入可能な横穴を設け、該横穴内に頭部座部を形成したことを特徴とする請求項７記載の水処理ユニット。
【請求項９】
機台と、原水が給水される給水管路と、該給水管路に介装され原水を送水するポンプと、該ポンプから送水される原水を浄化して浄水と排水とに分離する浄化モジュールを有した水処理ユニットと、該水処理ユニットから浄水を流して先端の注水口から注水可能にする注水管路と、該水処理ユニットから排水を流して排出口から排出する排出管路とを備えた浄水装置において、
上記水処理ユニットとして、上記請求項１乃至８何れかに記載の水処理ユニットを用いたことを特徴とする浄水装置。
【発明の詳細な説明】
【技術分野】
【０００１】
本発明は、水道水などの原水を浄化し浄水と排水とに分離する例えば逆浸透膜タイプの浄化モジュールを圧力容器に収納してなる水処理ユニット及びこれを用いた浄水装置に関する。
【背景技術】
【０００２】
従来、この種の浄水装置としては、例えば、特開２０１３−３４９７１号公報（特許文献１）に掲載されているものが知られている。図１４に示すように、この浄水装置Ｓａは、原水が給水される給水管路２００と、給水管路２００に介装され原水を送水するポンプ２０１と、ポンプ２０１の上流側に設けられた前処理フィルタ２０２と、ポンプ２０１から送水される原水を浄化して浄水と排水とに分離する逆浸透膜タイプの浄化モジュールを有した水処理ユニットＦａと、水処理ユニットＦａから浄水を流して先端の注水口２０３ａから注水可能にする注水管路２０３と、水処理ユニットＦａから排水を流して排水口２０４ａから排出する排水管路２０４とを備えている。また、注水管路２０３の途中には、例えば紫外線殺菌灯を有した除菌ユニット２０５が介装されている。２０６は制御部であり、給水管路２００に介装された電磁弁２０７，注水管路２０３に介装された電磁弁２０８の開閉制御及びポンプ２０１の駆動制御を行う。
【０００３】
図１５に示すように、水処理ユニットＦａは、逆浸透膜タイプの浄化モジュール２１０を圧力容器２２０に収納して構成されている。浄化モジュール２１０は、一端側に閉塞部２１１を有し他端に開放口２１２を有するとともに閉塞部２１１よりも他端側の壁部に小孔２１３が複数形成された集水管２１４と、集水管２１４の一端部２１４ａ及び他端部２１４ｂを露出させて集水管２１４にスパイラル状に巻回されたロール状の逆浸透膜２１５と、逆浸透膜２１５の一端側の外周に設けられたリング状のシール部材２１６とを備えて構成され、逆浸透膜２１５のシール部材２１６よりも一端側が原水が浸入する浸入部２１７として構成され、逆浸透膜２１５のシール部材２１６より他端側が排水が浸出する浸出部２１８として構成されている。
【０００４】
また、圧量容器２２０は、浄化モジュール２１０のシール部材２１６が当接する壁面を有し、浄化モジュール２１０の逆浸透膜２１５の外面との間に間隙を有して逆浸透膜２１５を覆う密閉型の筒状に形成され、一端側に原水を受入れる受水口２２１が形成されるとともに逆浸透膜２１５の浸入部２１７が臨む原水空間２２２を備え、他端側に集水管２１４の開放口２１４ｂに連通して浄水を吐出する吐出口２２３を備え、また、排水を排出する排出口２２４を備えるとともに、逆浸透膜２１５の浸出部２１８からの排水を受ける排水空間２２５を備えて構成されている（例えば、特開２００９−２９７７１６号公報（特許文献２）参照）。
【０００５】
そして、浄水装置Ｓａにおいて、注水口２０３から注水して飲用等に供するときは、ポンプ２０１を駆動すると、浄化モジュール２１０を有した水処理ユニットＦａから浄水が送出され注水管路２０３を通って注水口２０３ａから注水される。
【先行技術文献】
【特許文献】
【０００６】
【特許文献１】特開２０１３−３４９７１号公報
【特許文献２】特開２００９−２９７７１６号公報
【発明の概要】
【発明が解決しようとする課題】
【０００７】
ところで、この従来の浄水装置Ｓａにおいては、水処理ユニットＦａが比較的大きいので、小型化できにくいという問題があった。水処理ユニットＦａが比較的大きくなるのは、圧力容器２２０に圧力が作用するが、軸方向の力が大きいことから、これを受ける胴部分の強度を高めなければならないので、それだけ全体を肉厚に形成しなければならないとともに、受水口２２１，吐出口２２３及び排出口２２４を端面に突出させてこの部分の強度も増すようにしていることもあって浄化モジュール２１０の軸方向に圧力容器２２０が長くなってしまうことに起因している。
【０００８】
本発明は、上記の点に鑑みてなされたもので、圧力容器内の耐圧性を保持しつつ可能な限り圧力容器を小型にできるようにし、これを用いた浄化装置の小型化を図ることができるようにした水処理ユニットおよびこれを用いた浄水装置を提供することを目的とする。
【課題を解決するための手段】
【０００９】
このような目的を達成するため、本発明の水処理ユニットは、送り込まれる原水を浄化し浄水と排水とに分離して送り出す機能を有した浄化モジュールと、該浄化モジュールをその機能を奏するように収納するとともに原水を受入れる受水口，浄水を吐出する吐出口，排水を排出する排出口を有した圧力容器とを備えた水処理ユニットにおいて、
上記圧力容器を、上記受水口が設けられ上記浄化モジュールの一端部を収納する一端収納体と、上記吐出口及び排出口が設けられ上記浄化モジュールの他端を収納する他端収納体と、上記一端収納体及び他端収納体に挾持され上記浄化モジュールの一般部を覆う筒体と、該筒体の側方であって上記一端収納体及び他端収納体間に架設されて該一端収納体及び他端収納体を連結保持し上記筒体に挾持力を付与する複数の連結杆とを備えて構成している。
【００１０】
これにより、一端収納体及び他端収納体は、複数の連結杆で連結されることから、圧力容器内の軸方向に生じる比較的大きな力を、この連結杆で受け持つことができ、それだけ、筒体に負担がかかることがなくなり、そのため、筒体を比較的薄い材料で作成することができるようになる。このため、筒体周囲にスペースができ、小型化が図られる。また、この水処理ユニットを浄水装置に用いた場合にも、水処理ユニットが小型になった分、周囲のスペースが広くなり、そのため、種々の配管等を収納しやすくなるので、それだけ、浄水装置自体の小型化も図ることができるようになる。
【００１１】
そして、必要に応じ、上記一端収納体の受水口を該一端収納体の外端面以外の外壁面に形成し、上記他端収納体の吐出口及び排出口を該他端収納体の外端面以外の外壁面に形成した構成としている。これにより、従来のように、圧力容器の端面に受水口，吐出口及び排出口を端面に突出させた場合に比較して、軸方向の出っ張りがなくなることから、それだけ、コンパクトにすることができ、大幅に小型化を図ることができる。また、従来は、圧力容器の端面に受水口，吐出口及び排出口を端面に突出させてこの部分の強度も増すようにしているが、本発明では、圧力容器内の軸方向に生じる比較的大きな力を、連結杆で受け持つようにしたので、受水口，吐出口及び排出口を外端面以外の外壁面に形成しても、圧力容器内の耐圧性を損なう事態が防止され、機能を確保することができる。
【００１２】
より具体的には、上記浄化モジュールは、一端側に閉塞部を有し他端に開放口を有するとともに閉塞部よりも他端側の壁部に小孔が複数形成された集水管と、該集水管の一端部及び他端部を露出させて該集水管にスパイラル状に巻回されたロール状の逆浸透膜と、該逆浸透膜の一端側の外周に設けられたリング状のシール部材とを備えて構成され、該逆浸透膜のシール部材よりも一端側が原水が浸入する浸入部として構成され、該逆浸透膜のシール部材より他端側が排水が浸出する浸出部として構成され、
上記筒体を上記浄化モジュールの逆浸透膜の外面との間に間隙を有して該逆浸透膜を覆うように形成し、上記一端収納体を、上記集水管の一端部が挿通保持される保持孔と、上記シール部材が当接する壁面を有するとともに上記受水口に連通し上記逆浸透膜の浸入部が臨む原水空間とを備えて構成し、上記他端収納体を、上記集水管の他端部がシールされて挿通保持されるとともに上記吐出口に連通し該集水管の開放口からの浄水が満たされる浄水空間と、上記逆浸透膜と筒体との間隙に連通し且つ上記排水口に連通し上記逆浸透膜の浸出部からの排水を受ける排水空間とを備えて構成している。これにより、市販の逆浸透型浄化モジュールに対応できるようになり、汎用性を向上させることができる。
【００１３】
更に、必要に応じ、上記圧力容器の一端収納体を、上記筒体の端部側に設けられ上記浄化モジュールが軸方向に挿入可能で挿入後の浄化モジュールのシール部材が当接する壁面を有し上記原水空間の一部を構成する貫通孔を備えた収納体本体と、上記集水管の一端部が挿通保持される保持孔を有するとともに該収納体本体の貫通孔の開口に着脱可能に設けられ装着時に収納体本体と共同して上記原水空間を構成する凹部を有した蓋体とを備えて構成している。蓋体を着脱して浄化モジュールの装着，取り外しができるので、組付け性を向上させることができる。
【００１４】
更にまた、必要に応じ、上記筒体を透光性樹脂部材で形成した構成としている。逆浸透膜と筒体との間隙を通る水の動きを視認することができるようになり、水の流れ状態を把握することができる。また、筒体を比較的薄い材料で作成できるので、透光性を確保できる。
【００１５】
また、必要に応じ、上記一端収納体及び他端収納体に、夫々、上記筒体の端部が挿通されるとともに該筒体の端面が当接する当接座面を有した座孔を形成し、該座孔の内側面に上記筒体に弾接するシール部材を設けた構成としている。一端収納体及び他端収納体と筒体とのシール性を簡易な構造で確保することができる。
【００１６】
更に、必要に応じ、上記連結杆を、少なくとも先端に雄ネジ部が形成された杆本体と、該杆本体の基端に設けられる頭部体と、上記先端の雄ネジに螺合するナットとを備えて構成し、上記一端収納体及び他端収納体に該一端収納体及び他端収納体が互いに対面する端面から上記筒体の軸方向に沿って上記杆本体が挿通可能な挿通孔を形成し、上記一端収納体及び他端収納体のいずれか一方の挿通孔の開口縁に頭部体が係止する頭部座部を形成し、上記一端収納体及び他端収納体のいずれか他方の挿通孔の開口縁にナットが係止するナット座部を形成した構成としている。ナットの締め付けで、挾持力を確保でき、簡易な構造で、耐圧性を確保することができるようになる。
【００１７】
更にまた、必要に応じ、上記頭部体を上記杆本体の基端に着脱可能にし、上記一端収納体若しくは他端収納体の途中に、上記杆本体の基端が臨み上記頭部体を挿入可能な横穴を設け、該横穴内に頭部座部を形成した構成としている。頭部体が着脱可能なので、それだけ組付けの汎用性が増し、組付け作業性を向上させることができる。また、頭部体が一端収納体若しくは他端収納体の途中の横穴に収納されるので、外部に突出することがなく、この点でも、出っ張りがなくなることから、小型化を図ることができる。
【００１８】
そしてまた、上記課題を解決するため、本発明の浄水装置は、機台と、原水が給水される給水管路と、該給水管路に介装され原水を送水するポンプと、該ポンプから送水される原水を浄化して浄水と排水とに分離する浄化モジュールを有した水処理ユニットと、該水処理ユニットから浄水を流して先端の注水口から注水可能にする注水管路と、該水処理ユニットから排水を流して排出口から排出する排出管路とを備えた浄水装置において、上記水処理ユニットを用いた構成としている。水処理ユニットが小型になった分、周囲のスペースが広くなり、そのため、種々の配管等を収納しやすくなるので、それだけ、浄水装置自体の小型化も図ることができるようになる。
【発明の効果】
【００１９】
本発明によれば、一端収納体及び他端収納体は、複数の連結杆で連結されることから、圧力容器内の軸方向に生じる比較的大きな力を、この連結杆で対抗することができ、それだけ、筒体に負担がかかることがなくなり、そのため、筒体を比較的薄い材料で作成することができるようになる。このため、筒体周囲にスペースができ、小型化を図ることができる。また、この水処理ユニットを浄水装置に用いた場合にも、水処理ユニットが小型になった分、周囲のスペースが広くなり、そのため、種々の配管等を収納しやすくなるので、それだけ、浄水装置自体の小型化も図ることができるようになる。
【図面の簡単な説明】
【００２０】
【図１】本発明の実施の形態に係る浄水装置を示し、（ａ）は注水管を停止位置にした状態の斜視図、（ｂ）は注水管を回動させて注水可能状態にした状態の斜視図である。
【図２】本発明の実施の形態に係る浄水装置を操作盤の構成とともに示す正面図である。
【図３】本発明の実施の形態に係る浄水装置を示す側面図である。
【図４】本発明の実施の形態に係る浄水装置を示す配管図である。
【図５】本発明の実施の形態に係る浄水装置において第一注水側防菌手段をその注水管の回動途中の状態で示す要部断面図である。
【図６】本発明の実施の形態に係る浄水装置において第一注水側防菌手段をその注水管の停止位置の状態で示す要部断面図である。
【図７】本発明の実施の形態に係る浄水装置において第一注水側防菌手段の連結口部の構成を示す図５中Ｅ部拡大断面図である。
【図８】本発明の実施の形態に係る浄水装置において第一排水側防菌手段の構成を示す断面図である。
【図９】本発明の実施の形態に係る浄水装置において制御部の注水制御に係る構成を示す図である。
【図１０】本発明の実施の形態に係る水処理ユニットを示す分解斜視図である。
【図１１】本発明の実施の形態に係る水処理ユニットを示し、（ａ）は上から見た斜視図、（ｂ）は下から見た斜視図である。
【図１２】本発明の実施の形態に係る水処理ユニットの縦断面図である。
【図１３】本発明の実施の形態に係る水処理ユニットの別の部位の縦断面図である。
【図１４】従来の浄水装置の一例を示す配管図である。
【図１５】従来の水処理ユニットの一例を示す断面図である。
【発明を実施するための形態】
【００２１】
以下、添付図面に基づいて本発明の実施の形態に係る浄水装置について詳細に説明する。本発明の実施の形態に係る水処理ユニットは本浄水装置に用いられるので、本浄水装置の説明において詳細に説明する。
図１乃至図９に示す実施の形態に係る浄水装置Ｓにおいて、その基本的構成は、略直方体状のカバー２を有した機台１と、図４に示すように、原水が給水される給水管路３と、給水管路３に介装され原水を送水するポンプ４と、ポンプ４から送水される原水を浄化して浄水と排水とに分離する浄化モジュールを圧力容器に収納した水処理ユニットＦと、水処理ユニットＦから浄水を流して先端の注水口１１から注水可能にする注水管路１０と、水処理ユニットＦから排水を流して排水口２１から排出する排水管路２０とを備えてなる。機台１の大きさは、例えば、幅１１０ｍｍ、奥行き２１０ｍｍ、高さ２９７ｍｍと、極めて小型に形成されている。
【００２２】
詳しくは、図４に示すように、給水管路３は、水道水が給水されるメイン給水口３ａを有しており、非常時等に用いられるサブ給水口５ａを有したサブ管路５が接続されている。この給水管路３には、活性炭が収納され原水を濾過する前処理フィルタ６が介装されている。７はサブ管路５の接続点より上流側に介装され給水管路３を開閉する電磁弁、８，９は前処理フィルタ６の前後に介装された逆止弁である。
【００２３】
また、注水管路１０には、流量計１２が介装され、その下流には注水管路１０を開閉する電磁弁１３が介装されている。一方、排水管路２０には、オリフィス型の流量調整器２３と管路を開閉する電磁弁２４とが並列に介装されており、この流量調整器２３と電磁弁２４の開閉により、水処理ユニットＦからの排水の流量調整を行うことができるようにしている。また、流量調整器２３と電磁弁２４の下流には、順に逆止弁２５及びオリフィス型の流量調整器２６が介装されている。更に、流量調整器２３の上流側の排水管路２０と、ポンプ４及び逆止弁９間の注水管路１０との間には、排水の一部を再度水処理ユニットＦで処理するための再処理用管路２７が接続されている。再処理用管路２７には、逆浸透膜に対する圧力調整のためのリリーフ弁２８が設けられている。
【００２４】
実施の形態に係る浄水装置Ｓにおいては、注水管路１０の注水口１１からウイルス菌，細菌，真菌等の菌類の侵入を抑止する１種若しくは複数種の注水側防菌手段が設けられている。
実施の形態では、第一注水側防菌手段Ａ１と、第二注水側防菌手段Ａ２とを備えている。第一注水側防菌手段Ａ１は、図１乃至図７に示すように、注水口１１が設けられた注水口部３１を有するとともに機台１に対して注水口１１の位置を可変に設けられ所定の停止位置Ｘに位置させられる注水管３０と、一端がポンプ４の上流側の給水管路３に接続され（実施の形態では再処理用管路２７のリリーフ弁２８の後流側に接続されている）、他端側が機台１に支持される戻し管路３２と、戻し管路３２の他端に設けられ注水管３０の停止位置Ｘで注水口部３１が連結される連結口部４０とを備えて構成されている。戻し管路３２には、電磁弁３３及び逆止弁３４が介装されている。注水口部３１が連結口部４０に連結された状態では、後述の制御部７０の制御により、注水管３０の停止位置Ｘでポンプ４を駆動することにより注水管路１０及び戻し管路３２の水を循環させるようにしている。この水の循環は、間欠的に行なわれる。
【００２５】
詳しくは、図５及び図６に示すように、注水管３０は、管路を内部に有した樹脂製の基端部材３０ａと、管路を内部に有した樹脂製の先端部材３０ｂと、アルミニウムなどのパイプ３０ｃとで構成され、パイプ３０ｃの両端はシール部材を介して夫々基端部材３０ａ及び先端部材３０ｂに接続されている。注水口部３１は、先端部材３０ｂの先端にパイプ３０ｃの軸方向に直交する軸線を有して機台１側に突出可能に形成されている。この先端部材３０ｂは、抗菌材料で形成されており、これにより、注水口１１が設けられた注水口部３１自体で第二注水側防菌手段Ａ２が構成されている。抗菌材料としては、例えば、スチレン系樹脂等の樹脂に特定の抗菌剤を配合したものが用いられる。抗菌剤としては、例えば、銀、銀化合物等が挙げられる。また、光触媒物質を塗布するようにしても良い。
【００２６】
また、注水管３０の基端部材３０ａの基端３５は、機台１の前面の略中央部に、水平方向の軸線を中心に回動可能に支持され、この回動により、機台１の前面に沿う停止位置Ｘ（図１（ａ），図２，図３実線，図４二点鎖線，図６）と機台１の前面から離間し注水を可能にする注水可能位置（図１（ｂ），図３二点鎖線，図４実線，図５）に位置させられる。そして、停止位置Ｘで注水口部３１は、連結口部４０に差し込み可能になっている。図５乃至図７に示すように、連結口部４０は、樹脂製の部材で形成され、注水口部３１が差し込まれる挿通孔４１を備えた筒状の部材であり、挿通孔４１の内部には注水口部３１の外周に弾接するリング状のシール部材４２が設けられている。連結口部４０には戻し管路３２を構成するパイプ４３がシール部材４３ａを介して接続されている。
【００２７】
また、機台１には、注水口部３１の連結口部４０に対する差し込み時に連結口部４０を微動可能に支持するフローティング支持部４４が設けられている。図７に示すように、フローティング支持部４４は、連結口部４０が遊嵌する貫通孔４５と、連結口部４０の外周に設けた鍔部４６を間隙を設けて抱擁し、軸方向前後に鍔部４６が衝止する衝止壁４７ａ，４７ｂを備え、連結口部４０の抜け止めを行う抜け止め部４７とを備えて構成されている。
【００２８】
更に、図５乃至図７に示すように、注水口部３１の停止位置Ｘで、注水口部３１を解除可能にロックするロック機構４８が設けられている。ロック機構４８は、連結口部４０の前側で機台１に進退可能に設けられ、後退時に注水管３０の回動により注水口部３１の停止位置Ｘへの移動を許容し、進出時に停止位置Ｘにある注水口部３１の背面に当接して注水口部３１の回動を阻止するロック部材４８ａと、ロック部材４８ａを突出方向に付勢するコイルスプリング４８ｂとを備えて構成されている。ロック部材４８ａの先端部及び先端部材３０ｂの先端部同士は互いに摺接して移動を容易にする山形形状に形成されている。また、ロック部材４８ａの先端部には手で押し込み可能にする凹部４８ｃが形成されている。
【００２９】
また、フローティング支持部４４の上には、注水管３０が停止位置Ｘに至ったことを検知するリミットスイッチからなる検知器４９が設けられている。本浄水装置Ｓは、後述もする制御部７０を備えており、制御部７０は、注水管３０が停止位置Ｘに至ったことを検知器４９で検知すると、所定時間経過後、間欠的にポンプ４を駆動する制御を行う。注水管３０が停止位置Ｘから離間すると、検知器４９がこれを検知し、ポンプ４の駆動を停止し、待機状態になる。
【００３０】
本実施の形態に係る浄水装置Ｓは、排水管路２０の少なくともこの排水管路２０の途中から水処理ユニットＦ側へ菌類の侵入を阻止する排水側防菌手段が備えられている。
実施の形態では、図４及び図８に示すように、排水側防菌手段Ｂ１を備えている。この排水側防菌手段Ｂ１は、排水口２１の手前の排水管路２０に介装されており、水の入口５１及び出口５２を有したケーシング５０と、ケーシング５０内に設けられケーシング５０内の水に紫外線を照射する紫外線照射ランプからなる紫外線照射部５３とを備えて構成されている。ケーシング５０は、所謂排水トラップを構成しており、排水口２１側の排水管５４がその軸線が垂直方向に沿うように設けられるとともにケーシング５０内に突出して設けられている。排水管５０の入口開口５５には水が通過可能な切欠き５６が形成されており、ケーシング５０の底面からこの切欠き５６までの高さ分ケーシング５０内に水が貯留可能になっていて、切欠き５６を越えて溜まろうとする水がこの切欠き５６から排水管５４を通って排水される。排水管５４の入口開口５５にはこの入口開口５５を覆うキャップ５７が被嵌されている。
【００３１】
また、図１及び図２に示すように、機台１の前面には操作盤６０が設けられている。操作盤６０には、図２に示すように、注水開始指令信号を送出する注水開始ボタン６１と、注水停止指令信号を送出する注水停止ボタン６２と、予め所要の注水量を指定可能な注水量指定手段６３とが設けられている。注水量指定手段６３は、操作盤６０に設けられ注水量を表示する表示部６４と、この表示部６４に所望の注水量を表示させる注水量設定ボタン６５を備えている。この注水量設定ボタン６５により表示部６４に表示された注水量が指定される。符号６６は電源ランプ、６７は浄水中に点灯する浄水ランプである。
【００３２】
そして、制御部７０は、例えばＣＰＵ等の機能によって実現され、図９に示すように、注水開始ボタン６１からの注水開始指令信号があったとき注水を開始する注水開始手段７１と、注水停止指令信号があったとき注水を停止する注水停止手段７２と、注水開始指令信号があってから上記の注水管路１０に介装した流量計１２が計測する流量に基づいて注水量を算出する注水量算出手段７３と、注水量算出手段７３が演算した注水量が注水量指定手段６３が指定した所要の注水量になったとき注水停止指令信号を送出する注水量監視手段７４とを備えて構成されている。また、制御部７０は、注水量指定手段６３の指定がないとき、即ち、表示部６４の表示がゼロのとき、注水開始指令信号があってから注水停止ボタン６２による注水停止指令信号があるまで連続注水を行なわせる連続注水手段７５を備えている。その他、制御部７０は、電磁弁７，１３，２４，３３の開閉制御、ポンプ４の始動，停止制御を行う。
【００３３】
次に、本発明の実施の形態に係る水処理ユニットＦについて説明する。図１０乃至図１３に示すように、本水処理ユニットＦは、送り込まれる原水を浄化して浄水と排水とに分離して送り出す機能を有した浄化モジュール１００と、浄化モジュール１００をその機能を奏するように収納するとともに原水を受入れる受水口１１１，浄水を吐出する吐出口１１３，排水を排出する排出口１１４を有した圧力容器１１０とを備えている。
【００３４】
詳しくは、図１２及び図１３に示すように、浄化モジュール１００は、一般に市販されたＲＯ（Ｒｅｖｅｒｓｅ Ｏｓｍｏｓｉｓ：逆浸透）型のものであり、一端側に閉塞部１０１を有し他端に開放口１０２を有するとともに閉塞部１０１よりも他端側の壁部に小孔１０３が複数形成された集水管１０４と、集水管１０４の一端部１０４ａ及び他端部１０４ｂを露出させて集水管１０４にスパイラル状に巻回されたロール状の逆浸透膜１０５と、逆浸透膜１０５の一端側の外周に設けられたリング状のシール部材１０６とを備えて構成され、逆浸透膜１０５のシール部材１０６よりも一端側が原水が浸入する浸入部１０７として構成され、逆浸透膜１０５のシール部材より他端側が排水が浸出する浸出部１０８として構成されている。
【００３５】
圧力容器１１０は、受水口１１１が設けられ浄化モジュール１００の一端部１０４ａを収納する一端収納体１１２と、吐出口１１３及び排出口１１４が設けられ浄化モジュール１００の他端を収納する他端収納体１１５と、一端収納体１１２及び他端収納体１１５に挾持され浄化モジュール１００の一般部を覆う筒体１１６と、筒体１１６の側方であって一端収納体１１２及び他端収納体１１５間に架設されてこの一端収納体１１２及び他端収納体１１５を連結保持し、筒体１１６に挾持力を付与する複数（実施の形態では４本）の連結杆１４０とを備えて構成されている。筒体１１６は、剛性のある透光性樹脂部材（実施の形態では透明な樹脂部材）で形成されており、浄化モジュール１００の逆浸透膜１０５の外面との間に間隙を有して逆浸透膜１０５を覆うように形成されている。
【００３６】
一端収納体１１２は、樹脂製ブロックであり、集水管１０４の一端部１０４ａが挿通保持される保持孔１２０と、シール部材１０６が当接する壁面を有するとともに受水口１１１に連通し逆浸透膜１０５の浸入部１０７が臨む原水空間１２１とを備えて構成されている。より詳しくは、圧力容器１１０の一端収納体１１２は、収納体本体１２２と蓋体１２３とから構成されている。収納体本体１２２は、筒体１１６の端部側に設けられ浄化モジュール１００が軸方向に挿入可能で挿入後の浄化モジュール１００のシール部材１０６が当接する壁面を有し原水空間１２１の一部を構成する貫通孔１２４を備えて構成されている。一端収納体１１２の受水口１１１は、一端収納体１１２の外端面１１２ａ以外の外壁面に形成されており、実施の形態では、受水口１１１は収納体本体１２２の側面１１２ｂに形成されている。また、一端収納体１１２の収納体本体１２２には、筒体１１６の端部が挿通されるとともに筒体１１６の端面が当接する当接座面１２５を有した座孔１２６が形成されており、この座孔１２６の内側面に筒体１１６に弾接するシール部材１２７が設けられている。
【００３７】
蓋体１２３は、集水管１０４の一端部１０４ａが挿通保持される保持孔１２０を有するとともに収納体本体１２２の貫通孔１２４の開口にネジ手段１２８により着脱可能に設けられ装着時に収納体本体１２２と共同して原水空間１２１を構成する凹部１２９を有して構成されている。
【００３８】
他端収納体１１５は、樹脂製ブロック体であり、集水管１０４の他端部１０４ｂがシールされて挿通保持されるとともに吐出口１１３に連通し集水管１０４の開放口１０２からの浄水が満たされる浄水空間１３０と、逆浸透膜１０５と筒体１１６との間隙に連通し且つ排水口１１４に連通し、逆浸透膜１０５の浸出部１０８からの排水を受ける排水空間１３１とを備えて構成されている。他端収納体１１５の吐出口１１３及び排出口１１４は、他端収納体１１５の外端面１１５ａ以外の外壁面に形成されている。実施の形態では、吐出口１１３は、一端収納体１１２の側面１１５ｂに形成され、排出口１１４は、一端収納体１１２に対面する面１１５ｃに形成されている。また、他端収納体１１５には、一端収納体１１２の収納体本体１２２と同様に、筒体１１６の端部が挿通されるとともに筒体１１６の端面が当接する当接座面１３３を有した座孔１３４が形成されており、座孔１３４の内側面に筒体１１６に弾接するシール部材１３５が設けられている。
【００３９】
連結杆１４０は、少なくとも先端に雄ネジ部１４２が形成された杆本体１４１を備えている。実施の形態では、杆本体１４１は、全長に亘り雄ネジ部１４２が形成されたネジシャフトで構成されている。また、連結杆１４０は、杆本体１４１の基端に設けられる頭部体１４３と、先端の雄ネジ部１４２に螺合するナット１４４とを備えて構成されている。頭部体１４３は、杆本体１４１の基端に着脱可能に形成されている。実施の形態では、頭部体１４３は杆本体１４１の雄ネジ部１４２に螺合する雌ネジを有した板状に形成されている。
【００４０】
そして、一端収納体１１２及び他端収納体１１５には、一端収納体１１２及び他端収納体１１５が互いに対面する端面から筒体１１６の軸方向に沿って杆本体１４１が挿通可能な挿通孔１４５が形成されている。一端収納体１１２及び他端収納体１１５において、夫々、挿通孔１４５は、筒体１１６の軸線を中心に略等角度関係で４つ形成されている。また、一端収納体１１２においては、挿通孔１４５は収納体本体１２２の途中まで形成されている。一端収納体１１２の収納体本体１２２及び他端収納体１１５のいずれか一方（実施の形態では一端収納体１１２の収納体本体１２２）の挿通孔１４５の開口縁に、頭部体１４３が係止する頭部座部１４６が形成され、一端収納体１１２及び他端収納体１１５のいずれか他方（実施の形態では他端収納体１１５）の挿通孔１４５の開口縁に、ナット１４４が係止するナット座部１４７が形成されている。頭部体１４３が係止される頭部座部１４６は、頭部座部１４６が設けられる一端収納体１１２の収納体本体１２２の途中に設けられ、収納体本体１２２の側壁部位に頭部体１４３を杆本体１４１の基端に対して着脱可能にするに横穴１４８を設け、この横穴１４８内に頭部座部１４６が形成されている。
【００４１】
従って、この実施の形態に係る水処理ユニットＦを組み立てるときは、一端収納体１１２及び他端収納体１１５の座孔１２６，１３４にシール部材１２７，１３５を設け、一端収納体１１２の座孔１２６に筒体１１６の一端部を挿入し、他端収納体１１５の座孔１３４に筒体１１６の他端部を挿入する。この状態で、一端収納体１１２の横穴１４８から頭部体１４３を差し込み、連結杆１４０の杆本体１４１を、一端収納体１１２及び他端収納体１１５の挿通孔１４５に挿通し、杆本体１４１の基端に頭部体１４３を螺合し、杆本体１４１の先端にナット１４４を螺合する。この場合、頭部体１４３の構造が板状の簡易なものなので、容易に横穴１４８に挿入でき、組付け作業性が向上させられる。そして、ナット１４４を締め付ける。これにより、一端収納体１１２及び他端収納体１１５が互いに引き寄せられるので、筒体１１６が挾持させられて組み付けられる。ナット１４４の締め付けで、挾持力を確保でき、簡易な構造で、耐圧性を確保することができるようになる。また、一端収納体１１２及び他端収納体１１５と筒体１１６とのシール性を簡易な構造で確保することができる。
【００４２】
この圧力容器１１０によれば、一端収納体１１２及び他端収納体１１５は、複数の連結杆１４０で連結されることから、圧力容器１１０内の軸方向に生じる比較的大きな力を、この連結杆１４０で受け持つことができ、それだけ、筒体１１６に負担がかかることがなくなり、そのため、筒体１１６を比較的薄い材料で作成することができるようになる。また、一端収納体１１２の受水口１１１は一端収納体１１２の外端面１１２ａ以外の側面１１２ｂに形成され、他端収納体１１５の吐出口１１３は他端収納体１１５の外端面１１５ａ以外の側面１１５ｂに形成され、排出口１１４は他端収納体１１５の外端面１１４ａ以外の一端収納体１１２に対面する面１１５ｃに形成されているので、圧力容器１１０の端面に受水口１１１，吐出口１１３及び排出口１１４を突出させた場合に比較して、軸方向の出っ張りがなくなることから、それだけ、コンパクトにすることができ、大幅に小型化を図ることができる。また、頭部体１４３が一端収納体１１２の途中の横穴１４８に収納されるので、外部に突出することがなく、この点でも、出っ張りがなくなることから、小型化を図ることができる。
【００４３】
そして、この圧力容器１１０を、浄水装置Ｓの機台１に組み付ける。この場合、水処理ユニットＦが小型になった分、周囲のスペースが広くなり、そのため、種々の配管等を収納しやすくなるので、それだけ、浄水装置Ｓ自体の小型化も図ることができるようになる。
浄化モジュール１００を圧力容器１１０に組み付けるときは、一端収納体１１２の収納体本体１２２から蓋体１２３を外して浄化モジュール１００を収納体本体１２２の開口を通して筒体１１６に挿入し、再び蓋体１２３を装着する。この状態では、一端収納体１１２の蓋体１２３に設けた保持孔１２０に集水管１０４の一端部１０４ａが挿通保持され、他端収納体１１５に集水管１０４の他端部１０４ｂがシールされて保持される。また、逆浸透膜１０５のシール部材１０６が原水空間１２１に弾接して支持される。このように、蓋体１２３を着脱して浄化モジュール１００の装着を行うことができるので、組付け性を向上させることができる。また、市販の逆浸透型浄化モジュール１００に対応できるようになり、汎用性を向上させることができる。
【００４４】
そしてまた、水処理ユニットＦにより原水を浄化する際は、原水が受水口１１１から原水空間１２１に供給され、逆浸透膜１０５の浸入部１０７から浸透し、集水管１０４の他端部１０４ｂの開放口１０２から浄水空間１３０に浄水が流出して吐出口１１３から吐出されていく。一方、排水は浸出部１０８から滲出し、即ち、逆浸透膜１０５の外周からこの逆浸透膜１０５と筒体１１６との間隙に滲出するとともに逆浸透膜１０５の他端面からも滲出して排水空間１３１に流出し、排出口１１４から排出されていく。この場合、圧力容器１１０内では内圧が生じるが、圧力容器１１０内の軸方向に生じる比較的大きな力を、連結杆１４０で受け持つようにしたので、受水口１１１，吐出口１１３及び排出口１１４を側面に形成しても、圧力容器１１０内の耐圧性を損なう事態が防止され、機能を確保することができる。また、この場合、筒体１１６を透光性樹脂部材で形成したので、逆浸透膜１０５と筒体１１６との間隙を通る水の動きを視認することができるようになり、水の流れ状態を把握することができる。更に、筒体１１６を比較的薄い材料で作成できるので、透光性を確保できる。
【００４５】
次に、本実施の形態に係る浄水装置Ｓにより浄水を得るときについて説明する。先ず、図２及び図９に示すように、操作盤６０において、注水量設定ボタン６５を操作して、注水量を設定する。この場合、表示部６４にその設定量が表示される。この状態で、図１乃至図７に示すように、ロック機構４８のロック部材４８ａを手動で押し、ロックを解除して、注水管３０を停止位置Ｘから適宜の回動位置に回動させる。そして、操作盤６０において、注水開始ボタン６１を押釦する。これにより、ポンプ４が駆動され、浄化モジュールを有した水処理ユニットＦから浄水が送出され注水管路１０を通って注水口１１から注水される。注水管路１０では、流量計１２が流量を検知しており、図９に示すように、制御部７０においては注水量算出手段７３が流量計１２が計測する流量に基づいて注水量を算出している。そして、注水量監視手段７４により、注水量算出手段７３が演算した注水量が注水量指定手段６３が指定した所要の注水量になると、注水停止指令信号が送出され、ポンプ４の駆動が停止される等して注水が停止させられる。この場合、予め指定した注水量が注水されるので、必要量を注水することができ、無駄を防止することができる。
【００４６】
尚、注水中に、操作盤６０の注水停止ボタン６２を押釦すれば、強制的に注水を中止することができる。また、注水量設定ボタン６５を操作することなく注水量を設定しない場合には、即ち、表示部６４の表示がゼロのときは、注水開始ボタン６１を押釦した後、注水停止ボタン６２を押釦して注水停止指令信号が送出されるまでは、連続注水手段７５により連続注水が行われる。そのため、何時でも任意の注水量の浄水を得ることができる。
【００４７】
注水が終わったならば、図１乃至図７に示すように、注水管３０を回動させて所定の停止位置Ｘに位置させ、注水口部３１を連結口部４０に連結する。注水管３０を回動させるだけの簡易な操作なので、操作性が向上させられる。この場合、ロック機構４８のロック部材４８ａを手であるいは先端部材３０ｂの先端で押圧しながらロックを解除して、注水口部３１を連結口部４０に差し込み、その後、ロック部材４８ａをスプリング４８ｂの付勢力により進出させてロック位置に位置させる。この注水口部３１を連結口部４０に差し込む際は、フローティング支持部４４により連結口部４０が微動できるので、注水口部３１を連結口部４０に対して位置合わせし易くなり、差し込みを容易にすることができ、操作性が向上させられる。
【００４８】
注水管３０が停止位置Ｘに位置させられると、リミットスイッチからなる検知器４９が注水管３０が停止位置Ｘに至ったことを検知するので、制御部７０は、所定時間経過後、間欠的に所定時間ポンプ４を駆動して、注水管路１０及び戻し管路３２の水を循環させる。この、間欠的な循環は、注水管３０が停止位置Ｘから離間させられて検知器４９がこれを検知するまで繰り返し行われる。これにより、ポンプ４の連続運転による加熱を防止することができ、省力化を図ることができる。また、注水管路１０及び戻し管路３２の水が循環させられるので、浄化モジュールが逆浸透膜（ＲＯ膜）タイプのものなので、浄水の逆流が懸念されるが、これを防止する効果も奏する。
【００４９】
この注水の停止中においては、第一注水側防菌手段Ａ１が機能し、即ち、注水口部３１が連結口部４０に連結されるので、ウイルス菌，細菌，真菌等の菌類が侵入しようとしても、注水口１１からの菌類の侵入を抑止することができ、注水口１１を含む注水管路１０に菌類が浸入する事態を防止することができる。特に、注水口部３１が連結口部４０に差し込まれるので、注水口部３１を確実に空気と遮断して注水口１１から菌類が浸入する事態を防止することができる。また、注水管路１０及び戻し管路３２の水が循環させられるので、管内の水を浄化モジュールで再び浄化することができ、これによっても清潔を確保することができる。
また、注水の停止中においては、第二注水側防菌手段Ａ２も機能し、即ち、注水口部３１が抗菌材料で形成されているので、この点でも、注水口１１を含む注水管路１０に菌類が浸入する事態を防止することができる。
【００５０】
更に、この注水の停止中においては、図８に示すように、排水側防菌手段Ｂ１が機能し、即ち、排水口２１の手前の排水管路２０に設けたケーシング５０内においては、紫外線照射部５３からケーシング５０内の水に紫外線が照射されるので、排水管路２０に侵入しようとする菌類が殺菌され、水処理ユニットＦ側への菌類の侵入を阻止することができる。また、簡易な手段で殺菌することができる。
【００５１】
次にまた、浄水を得るときは、上記と同様に、操作盤６０において注水量を適宜設定して、ロック機構４８のロックを解除して、注水管３０を停止位置Ｘから適宜の回動位置に回動させ、注水開始ボタン６１を押釦する。これにより、ポンプ４が駆動され、浄化モジュールを有した水処理ユニットＦから浄水が送出され注水管路１０を通って注水口１１から注水される。この場合、注水の停止中においては、第一注水側防菌手段Ａ１，第二注水側防菌手段Ａ２及び排水側防菌手段Ｂ１が機能しているので、注水口１１から注水される浄水に菌類が混入する事態が防止され、確実に浄水の汚染の防止が図られ、安全性が向上させられる。
【００５２】
尚、上記実施の形態においては、水処理ユニットＦは、ＲＯ膜型の浄化モジュール１００を用いたタイプのもので説明したが、その他、例えば、ＮＦ膜（ナノフィルター），ＵＦ膜（限外ろ過膜），ＭＦ膜（精密ろ過膜）などの分離膜によって浄水と排水とに分離するタイプのものであれば、どのようなものにも適用できる。また、上記実施の形態に係る水処理ユニットＦは、上記の浄水装置Ｓに限らず種々の浄水装置に用いることができることは勿論である。更にまた、上記実施の形態に係る浄水装置の防菌手段についても、上述したものに限定されるものではなく、適宜変更して差し支えない。
【符号の説明】
【００５３】
Ｓ  浄水装置
Ｆ  水処理ユニット
１  機台
３  給水管路
４  ポンプ
６  前処理フィルタ
１０  注水管路
１１  注水口
１２  流量計
２０  排水管路
２１  排水口
２７  再処理用管路
Ａ１，Ａ２  第一注水側防菌手段，第二注水側防菌手段
Ｂ１  排水側防菌手段
３０  注水管
Ｘ  停止位置
３１  注水口部
３２  戻し管路
４０  連結口部
６０  操作盤
７０  制御部
１００  浄化モジュール
１０４  集水管
１０５  逆浸透膜
１０６  シール部材
１０７  浸入部
１０８  浸出部
１１０  圧力容器
１１１  受水口
１１２  一端収納体
１１３  吐出口
１１４  排出口
１１５  他端収納体
１１６  筒体
１２１  原水空間
１２２  収納体本体
１２３  蓋体
１３０  浄水空間
１３１  排水空間
１４０  連結杆
１４１  杆本体
１４３  頭部体
１４４  ナット
１４８  横穴
【図１】
2015020153.tif 000003
【図２】
2015020153.tif 000004
【図３】
2015020153.tif 000005
【図４】
2015020153.tif 000006
【図５】
2015020153.tif 000007
【図６】
2015020153.tif 000008
【図７】
2015020153.tif 000009
【図８】
2015020153.tif 000010
【図９】
2015020153.tif 000011
【図１０】
2015020153.tif 000012
【図１１】
2015020153.tif 000013
【図１２】
2015020153.tif 000014
【図１３】
2015020153.tif 000015
【図１４】
2015020153.tif 000016
【図１５】
2015020153.tif 000017